(57)【要約】      （修正有）【課題】厚手タイツに好適に用いられ、吊り下げても重ね合わせても破損することを回避する厚手タイツ用パッケージを提供する。【解決手段】この厚手タイツ用パッケージ１００は、上面１１０側に設けられたフック１４０で吊り下げ可能とされ、上面１１０の反対面である底面が解放された形状を備え、底面の短手方向を略二分する位置において両側面を連結する係合面（左側係合面１３３および右係合面）を備え、この係合面は、上面１１０とは接触しない範囲で底面側から上面１１０へ向かって（Ｈ（２）で示される長さ分だけ）設けられ、上面１１０から側面側に折り曲げられて延設され、側面を補強する補強面（左側補強面および右側補強面）を備える。【選択図】図２
0003190561.tif 000002
【実用新案登録請求の範囲】
【請求項１】
略直方体形状のパッケージであって、その上面側で吊り下げ可能とされ、前記上面の反対面である底面が解放され、
前記底面の短手方向を略二分する位置において両側面を連結する係合面を備え、
前記係合面は、前記上面とは接触しない範囲で前記底面側から前記上面へ向かって設けられ、
前記上面から側面側に折り曲げられて延設され、側面を補強する補強面を備えることを特徴とする厚手タイツ用パッケージ。
【請求項２】
前記補強面は、前記略直方体の側面と同じ長さを備え、その端部に解放された底面において折り曲げられる折り曲げ片を備えることを特徴とする請求項１に記載の厚手タイツ用パッケージ。
【請求項３】
前記パッケージは、所定の形状を備え、予め定められた位置に切り欠きを有する平面部材を折り曲げて立体形状に形成することを特徴とする請求項１または請求項２に記載の厚手タイツ用パッケージ。
【請求項４】
厚手タイツの左右の脚部が対面するように重ね合わせた状態から、前記厚手タイツの長手方向寸法が略１／４になるように２回折り返した状態で、前記係合面に係合させる略直方体形状を備えることを特徴とする、請求項１〜請求項３のいずれかに記載の厚手タイツ用パッケージ。
【考案の詳細な説明】
【技術分野】
【０００１】
本考案は、衣類の展示販売に用いられる衣類用パッケージに関し、特に、下半身用衣類である厚手のタイツ等の衣類の展示販売に用いられるパッケージに関する。なお、本考案に係るパッケージが好適に適用されるタイツには、パンティーストッキング型のみならず、パンティーストッキング型のタイツの一部（足首より先の部分やパンティ部等）を欠落させた、スパッツ、レギンスおよびトレンカ等の呼び名を有する形状のものも含む。
【背景技術】
【０００２】
一般に、衣類は、需要促進、販売促進、購買意欲喚起等のため、新素材の利用、着用性、体形補正等の各種の機能性向上や種々の改良が行われ、それらの改良がなされた衣類を展示販売するために、衣類に適したパッケージが種々工夫されている。
たとえば、特許文献１（実開昭５６−４５５５号公報）は、裏装片の左右両側に衣類吊り下げ片と表装片とを前面側に召し合わせ状態に折り曲げ可能に連設し、衣類吊り下げ片を先に裏装片の前面側に折り曲げて、この衣類吊り下げ片（の上縁）に衣類（靴下）を上下方向に２つ折り状態で吊り下げ、その上に表装片を折り重ねて、この表装片の端部の係止片を裏装片の裏面側の係止孔に差し込んで止めるようにし、裏装片の上端に形成したフック部で吊り下げるようにした靴下吊り下げ具を開示する。
【０００３】
ところで、この靴下吊り下げ具では、販売に際し、衣類の特性、機能等をアピールし易い形態、機能等を十分に備えているとは言えない。これに鑑み、本出願の出願人により出願され公開された特許文献２（特開２００８−２７３５２８号公報）に、包装作業がし易く、衣類のずれや包装形態の崩れも防止でき、衣類の特性や機能等をアピールし易い形態や機能を備えた衣類用パッケージが開示されている。
【０００４】
この特許文献２は、全体が１枚のシートで構成され、上部を吊り下げ可能とされた衣類用パッケージであって、上下方向に沿う折り目部を介して左右方向に折り曲げ可能に連設された表装片及び裏装片と、前記裏装片の上下に左右方向に沿う折り目部を介して上下方向に折り曲げ可能に連設された上部中間片と下部中間片とを備え、前記下部中間片は、衣類の上端側を裏装片側に折り込み状態で挟持するように折り曲げられ、かつ、前記上部中間片は、前記下部中間片の上から衣類の上端側を押圧挟持するように折り曲げられ、前記表装片と裏装片とは、前記上下部中間片で挟持された衣類を表裏から挟持した状態で前記折り目部から折り曲げて裏面側で連結保持可能とされていることを特徴とする衣類用パッケージを開示する。
【先行技術文献】
【特許文献】
【０００５】
【特許文献１】実開昭５６−４５５５号公報
【特許文献２】特開２００８−２７３５２８号公報
【考案の概要】
【考案が解決しようとする課題】
【０００６】
しかしながら、上述したいずれのパッケージであっても、また、薄手衣類向けの公知のパッケージであっても、衣類（靴下、ガードル等の比較的薄手の下着類）を吊り下げて展示販売する場合に好適であるものの、冬期に適したタイツであって厚みが（たとえば毛布程度まである）厚いタイツに適用することは好ましくない。すなわち、上述したいずれのパッケージであっても、公知のパッケージであっても、パッケージの厚みおよび厚み方向の強度が十分ではなく、厚手タイツに適用すると紙製のパッケージが破損したり、吊り下げ時に押圧されたり輸送時に重ね合わせられて圧縮されたりすると紙製のパッケージが破損したりする。このため、このような厚手タイツは袋状のパッケージに密閉状態に包装されて平置きされて販売されることになる。このような平置き状態では、セールスポイントである厚みを購入前に体感すること（肌触りを確認すること）ができない。
【０００７】
さらに、このような厚手タイツを吊り下げて展示販売すると、厚手タイツ自体が重いことに加えて、パッケージの厚みを厚くするとパッケージの素材は厚紙等であるのでパッケ
ージの厚み方向の変形（たわみ）が大きくなる。このようなパッケージを厚手タイツに適用して、上面に設けられたフックでパッケージを吊り下げると、フックに係る厚手タイツ自体およびパッケージ自体の重量で、フックが設けられた上面が上側に凸に変形して、上面と側面との間に隙間ができて好ましくない。
【０００８】
本考案は、従来技術の上述の問題点に鑑みて開発されたものであり、その目的とするところは、厚手タイツに好適に用いられ、吊り下げても重ね合わせても破損することを回避できる、吊り下げタイプのパッケージを提供することを目的とする。
【課題を解決するための手段】
【０００９】
上記目的を達成するため、本考案の厚手タイツ用パッケージは以下の技術的手段を講じている。
すなわち、本考案の厚手タイツ用パッケージは、略直方体形状のパッケージであって、その上面側で吊り下げ可能とされ、前記上面の反対面である底面が解放され、前記底面の短手方向を略二分する位置において両側面を連結する係合面を備え、前記係合面は、前記上面とは接触しない範囲で前記底面側から前記上面へ向かって設けられ、前記上面から側面側に折り曲げられて延設され、側面を補強する補強面を備える。
【００１０】
好ましくは、前記補強面は、前記略直方体の側面と同じ長さを備え、その端部に解放された底面において折り曲げられる折り曲げ片を備えるように構成することができる。
さらに好ましくは、前記パッケージは、所定の形状を備え、予め定められた位置に切り欠きを有する平面部材を折り曲げて立体形状に形成するように構成することができる。
さらに好ましくは、厚手タイツの左右の脚部が対面するように重ね合わせた状態から、前記厚手タイツの長手方向寸法が略１／４になるように２回折り返した状態で、前記係合面に係合させる略直方体形状を備えるように構成することができる。
【考案の効果】
【００１１】
本考案の厚手タイツ用パッケージによれば、厚手タイツに好適に用いられ、吊り下げても重ね合わせても破損することを回避できる、吊り下げタイプのパッケージを提供することができる。
【図面の簡単な説明】
【００１２】
【図１】本考案の実施の形態に係る厚手タイツ用パッケージの全体を示す斜視図であって、（Ａ）はタイツ非装着状態、（Ｂ）はタイツ装着状態を示す。
【図２】図１の厚手タイツ用パッケージの吊り下げ状態を示す斜視図である。
【図３】図１の厚手タイツ用パッケージを構成するパッケージ本体の展開状態の表面図である。
【図４】図１の厚手タイツ用パッケージを構成するパッケージ本体の展開状態の裏面図である。
【図５】図１の厚手タイツ用パッケージにタイツを包装する手順を示す図（その１）である。
【図６】図１の厚手タイツ用パッケージにタイツを包装する手順を示す図（その２）である。
【図７】図１の厚手タイツ用パッケージにタイツを包装する手順を示す図（その３）である。
【図８】図１の厚手タイツ用パッケージにタイツを包装する手順を示す図（その４）である。
【図９】図１の厚手タイツ用パッケージにタイツを包装する手順を示す図（その５）である。
【図１０】図１の厚手タイツ用パッケージにタイツを包装する手順を示す図（その６）である。
【図１１】図１の厚手タイツ用パッケージにタイツを包装する手順を示す図（その７）である。
【図１２】図１の厚手タイツ用パッケージにタイツを包装する手順を示す図（その８）である。
【考案を実施するための形態】
【００１３】
以下、本考案の実施の形態に係る厚手タイツ用パッケージ（以下において単にタイツ用パッケージまたはパッケージと記載する場合がある）１００を、図面に基づき詳しく説明する。なお、以下においては、厚手タイツ用パッケージ１００に包装されて展示販売される衣類は、比較的厚手のタイツＴであるとして説明する。ここで、タイツには、パンティーストッキング型のタイツの一部（足首より先の部分やパンティ部等）を欠落させた、スパッツ、レギンスおよびトレンカ等の呼び名を有する形状のものも含み、女性用はもちろんのこと男性用も含むものとする。また、この厚手タイツ用パッケージ１００に包装されて展示販売されるタイツとしては、厚手のものが好ましく、平面的に折り畳んだ状態で略長方形の形状（長手方向の寸法が短手方向の寸法よりも相当長い）であって、長手方向に折り畳んだり巻いたりすることのでき、かつ、厚みが相当に分厚いタイツが、特に、この厚手タイツ用パッケージ１００に好ましい。また、以下においては、この厚手タイツ用パッケージ１００を展示販売するために吊り下げた状態における上下左右方向または展開状態を示す紙面における上下左右方向を基準として説明する。
【００１４】
［パッケージ構造］
図１（Ａ）にこの厚手タイツ用パッケージ１００にタイツＴが装着されていない状態の斜視図を、図１（Ｂ）にタイツＴが装着されている状態の斜視図を、図２に厚手タイツ用パッケージ１００の吊り下げ状態を示す斜視図を、図３に厚手タイツ用パッケージ１００を構成するパッケージ本体の展開状態の表面図を、図４に厚手タイツ用パッケージ１００を構成するパッケージ本体の展開態の裏面図をそれぞれ示す。
【００１５】
これらの図に示すように、この厚手タイツ用パッケージ１００は、略直方体形状のパッケージであって、その上面側で吊り下げ可能とされ、上面の反対面である底面が解放された形状を備える。そして、タイツＴは、その左右の脚部が対面するように重ね合わせた状態から、タイツＴの長手方向寸法が略１／４になるように２回折り返した状態で、この厚手タイツ用パッケージ１００に収納される。
【００１６】
この厚手タイツ用パッケージ１００は、上述したように、大略的には略直方体形状のパッケージであって、その上面１１０側に設けられたフック１４０で吊り下げ可能とされ、上面１１０の反対面である底面が解放された形状を備える。そして、特徴的であるのは、底面の短手方向を略二分する位置において両側面（左側補強面１１２と右側補強面１１４との両補強面および／または外側左側面１２２と外側右側面１２４との両側面）を連結する係合面（左側係合面１３３および右側係合面１３５）を備える。さらに、この係合面は、上面１１０とは接触しない範囲で底面側から上面１１０へ向かって（Ｈ（２）で示される長さ分だけ）設けられ、この係合面と上面１１０とが離隔している位置（Ｈ（３）で示される位置）に側面の幅方向を補強する補強片（左側補強片１３２および右側補強片１３４）を備えることを特徴とする。このような補強片（左側補強片１３２および右側補強片１３４）よりも、左側補強面１１２および右側補強面１１４の両補強面が、この厚手タイツ用パッケージ１００の側面をさらに強固に補強するとともに、この厚手タイツ用パッケージ１００を吊り下げても上面１１０が上側に凸に変形して上面１１０と側面との間に隙間ができることを回避する。
【００１７】
そして、図３および図４に示すように、この厚手タイツ用パッケージ１００は、所定の形状を備え、予め定められた位置に切り欠きを有する平面部材である硬質の紙を折り曲げて、図１および図２に示す立体形状に形成される。以下において、この厚手タイツ用パッケージ１００の構造について、さらに詳しく説明する。
図３および図４に示す展開状態の厚手タイツ用パッケージ１００を参照して、この厚手タイツ用パッケージ１００は、意匠のために表面１２０に設けられた突起部１２６を除いて図面上で左右対称の形状を備える。なお、この厚手タイツ用パッケージ１００において、突起部１２６は任意的な構成である。
【００１８】
この厚手タイツ用パッケージ１００は、フック１４０が設けられた上面１１０と、この上面１１０から図面上で左右に延設された左側補強面１１２および右側補強面１１４と、この上面１１０から図面上で上下に延設された表面１２０および裏面１３０と、この表面
１２０から図面上で左右に延設された外側左側面１２２および外側右側面１２４と、この裏面１３０から図面上で左右に延設された左側補強片１３２および右側補強片１３４とから構成される。なお、表面１２０と裏面１３０とは逆でも構わない。
【００１９】
外側左側面１２２および外側右側面１２４ならびに左側補強面１１２および右側補強面１１４によりこの厚手タイツ用パッケージ１００の側面が形成されている。この場合において、左側補強面１１２および右側補強面１１４は上面１１０から延設されて一体の部材から構成されている。このため、この厚手タイツ用パッケージ１００をフック１４０で吊り下げても、フック１４０が設けられた上面１１０が上側に凸に変形して、上面１１０と側面との間に隙間はできない（構造上隙間を形成することは不可能）。そして、上述した補強片（左側補強片１３２および右側補強片１３４）を備えたことと相俟って、図１の紙面上下方向に大きな圧縮力が作用しても破損することがない。
【００２０】
さらに、この厚手タイツ用パッケージ１００は、左側補強面１１２から図面上で左側に延設された左側折り曲げ片１１３および右側補強面１１４から図面上で右側に延設された右側折り曲げ片１１５とを備える。さらに、この厚手タイツ用パッケージ１００は、外側左側面１２２から図面上で左側に延設され左側穴部１２３Ｈに嵌合される左側嵌合片１２３および外側右側面１２４から図面上で右側に延設され右側穴部１２５Ｈに嵌合される右側嵌合片１２５とを備える。
【００２１】
さらに、この厚手タイツ用パッケージ１００は、左側補強片１３２および右側補強片１３４の途中（Ｗ（１）のうちのＷ（２））から折り曲げ可能に設けられた左側係合面１３３および右側係合面１３５を備える。これらの左側係合面１３３および右側係合面１３５はそれぞれ係合し合う切欠部を備え、図１（Ａ）に示すように互いに係合して係合面（左側係合面１３３および右側係合面１３５）を形成する。さらに、この厚手タイツ用パッケージ１００は、裏面１３０と左側補強片１３２との間に設けられた左側穴部１２３Ｈと、裏面１３０と右側補強片１３４との間に設けられた右側穴部１２５Ｈとを備える。
【００２２】
表面１２０および／または裏面１３０の高さ方向長さがＨ（１）であるのに対して、左側係合面１３３および右側係合面１３５の高さ方向長さがＨ（２）であって、左側係合面１３３および右側係合面１３５は上面１１０との間にＨ（３）の間隔が開いている。後述するように、このＨ（３）の間隔の部分にタイツＴの折り返し部分が収納される。
表面１２０と裏面１３０との間隔（すなわちこの厚手タイツ用パッケージ１００の幅）がＷ（１）であるので、これに対応させて左側補強片１３２および右側補強片１３４の上側の長さがＷ（１）としてある。そして、これらの左側補強片１３２および右側補強片１３４の途中位置（Ｗ（２）の位置）から左側係合面１３３および右側係合面１３５が折り曲げられる。
【００２３】
この場合において、Ｗ（２）≒Ｗ（３）（なお、Ｗ（１）＝Ｗ（２）＋Ｗ（３））としているので、底面の短手方向を略二分する位置において両側面（左側補強面１１２と右側補強面１１４との両側面および／または外側左側面１２２と外側右側面１２４との両側面）を連結する係合面（左側係合面１３３および右側係合面１３５）が形成されることになる。そして、この係合面は、上面１１０とは接触しない範囲で底面側から上面１１０へ向かって（Ｈ（２）で示される長さ分だけ）設けられ、この係合面と上面１１０とが離隔している位置（Ｈ（３）で示される位置）に側面の幅方向を補強する補強片（左側補強片１３２および右側補強片１３４）を備えることになる。
【００２４】
このように構成することにより、この厚手タイツ用パッケージ１００において、側面が左側補強面１１２と右側補強面１１４との両側面および外側左側面１２２と外側右側面１２４との両側面で構成され二重になっていることに加えて、補強片（左側補強片１３２および右側補強片１３４）によりパッケージが補強されている。特に、左側補強面１１２と右側補強面１１４との両側面は上面１１０と一体であるので、上面１１０と側面との間に隙間ができない。さらに、補強片（左側補強片１３２および右側補強片１３４）によりさらに補強されているとともに、係合面（左側係合面１３３および右側係合面１３５）によりタイツＴを引っ掛けている。そして、補強片により構成される空間（Ｗ（１）×Ｈ（３）の空間）においてタイツＴが折り返されている。すなわち、補強部分を構成する空間に
タイツＴを引っ掛けているとともに、その空間の部分でパッケージを（左側補強面１１２と右側補強面１１４とによる補強に加えて）さらに補強している。
【００２５】
［包装方法および展示販売方法］
以上のような構造を備える本実施の形態に係る厚手タイツ用パッケージ１００を使用したタイツＴの包装方法および展示販売方法を図５〜図１２を参照して説明する。
図５に示すように、タイツＴの左右の脚部が対面するように重ね合わせた状態から、タイツＴの長手方向寸法が略１／２になるように１回折り返した状態の長さをＬ（１）として、その半分の長さＬ（２）程度（すなわちＬ（２）はタイツＴの長手方向寸法の略１／４）が係合面（左側係合面１３３および右側係合面１３５）の上端より少し上方の位置になるようにタイツＴを載置する。このときのタイツＴの上下方向の位置は、タイツＴの厚みおよびタイツＴが吊り下げられたときのデザイン等を考慮して調整される。
【００２６】
次に、図６に示すように、左側補強片１３２および右側補強片１３４を紙面手前方向に９０度折り曲げて（Ｈ（１）の長さを立ち上げて）、さらに、その途中（Ｗ（１）のうちのＷ（２））から左側係合面１３３および右側係合面１３５をさらに９０度折り曲げて（Ｈ（２）の長さを水平方向に折り曲げて）左側係合面１３３の切欠部と右側係合面１３５の切欠部とを係合し合う。その後、図７に示すように、係合面（左側係合面１３３および右側係合面１３５）の上端でタイツＴを折り返す。
【００２７】
次に、図８に示すように、左側補強面１１２および右側補強面１１４を紙面手前方向に９０度折り曲げて（Ｗ（１）の長さを立ち上げて）、さらに、左側折り曲げ片１１３および右側折り曲げ片１１５をさらに９０度折り曲げる（水平方向に折り曲げる）。厚手タイツ用パッケージ１００に収納されたタイツＴがこれらの左側折り曲げ片１１３および右側折り曲げ片１１５を押圧する。左側折り曲げ片１１３が左側補強面１１２と一体であり右側折り曲げ片１１５が右側補強面１１４と一体であるので、タイツＴが左側補強面１１２および右側補強面１１４を押し開く方向へ押圧することになるが、外側左側面１２２の左側嵌合片１２３が左側穴部１２３Ｈへ嵌合されて外側右側面１２４の右側嵌合片１２５が右側穴部１２５Ｈへ嵌合されているので厚手タイツ用パッケージ１００の側面が押し開くことはなく、タイツＴがこれらの左側折り曲げ片１１３および右側折り曲げ片１１５を押圧することにより厚手タイツ用パッケージ１００の形状を保持することができる。また、厚手タイツ用パッケージ１００内でタイツＴが容易に動かないようにしている。このように厚手タイツ用パッケージ１００内でタイツＴが容易に動かないように、かつ、タイツＴを収納することにより厚手タイツ用パッケージ１００の形状が保持できるように、左側折り曲げ片１１３および右側折り曲げ片１１５の大きさを含めて厚手タイツ用パッケージ１００の寸法が決定される。
【００２８】
次に、図９に示すように、上面１１０を紙面手前方向に９０度折り曲げて（立ち上げて）、次に、図１０に示すように、表面１２０を紙面手前方向に９０度折り曲げる（立ち上げる）。次に、図１１に示すように、表面１２０を紙面手前方向に９０度折り曲げる（水平方向に折り曲げる）。さらに、図１２に示すように、外側左側面１２２および外側右側面１２４を紙面奥方向に９０度折り曲げて、左側嵌合片１２３を９０度折り曲げて左側穴部１２３Ｈへ嵌合して、右側嵌合片１２５を９０度折り曲げて右側穴部１２５Ｈへ嵌合する。これにより、図３または図４に示す展開状態の厚手タイツ用パッケージ１００が図１（Ｂ）に示す立体状態に形成される。
【００２９】
厚手タイツ用パッケージ１００は、図２に示すように、販売店の陳列棚の商品吊り下げ棒にフック１４０が吊り下げられて、購入希望者はタイツＴの一部を触れることできるように展示販売される。
購入希望者は、図２に示すように吊り下げられて展示された厚手タイツ用パッケージ１００を見る。このとき、厚手タイツ用パッケージ１００の表面１２０（および／または裏面１３０）には、展示商品する商品であるタイツＴの商品名、素材、サイズ、色、特徴、機能、取扱注意事項、製造販売元および価格情報等が表示されているため、購入者の購買意欲を喚起することができる。
【００３０】
また、このとき、タイツＴは、厚手タイツ用パッケージ１００の中で重力により厚手タ
イツ用パッケージ１００よりも下方へ下がっている。このため、タイツＴの色および／または厚み等を実際に触って確認することができる。
以上のようにして、本実施の形態に係る厚手タイツ用パッケージ１００によると、厚手タイツに好適に用いられ、吊り下げても重ね合わせても破損することを回避でき、上面と側面との間に隙間ができない、吊り下げタイプのパッケージを提供することができる。
【００３１】
なお、今回開示された実施の形態はすべての点で例示であって制限的なものではないと考えられるべきである。本考案の範囲は上記した説明ではなくて特許請求の範囲によって示され、特許請求の範囲と均等の意味および範囲内でのすべての変更が含まれることが意図される。
【産業上の利用可能性】
【００３２】
本考案は、厚手タイツのパッケージに好適であり、吊り下げても重ね合わせても破損することを回避できる、吊り下げタイプのパッケージに特に好適である。
【符号の説明】
【００３３】
１００    厚手タイツ用パッケージ
１１０    上面
１１２    左側補強面
１１３    左側折り曲げ片
１１４    右側補強面
１１５    右側折り曲げ片
１２０    表面
１２２    外側左側面
１２３    左側嵌合片
１２３Ｈ  左側穴部
１２４    外側右側面
１２５    右側嵌合片
１２５Ｈ  右側穴部
１２６    突起部
１３０    裏面
１３２    左側補強片
１３３    左側係合面
１３４    右側補強片
１３５    右側係合面
１４０    フック
Ｔ        タイツ
【図３】
0003190561.tif 000003
【図４】
0003190561.tif 000004
【図１】
0003190561.tif 000005
【図２】
0003190561.tif 000006
【図５】
0003190561.tif 000007
【図６】
0003190561.tif 000008
【図７】
0003190561.tif 000009
【図８】
0003190561.tif 000010
【図９】
0003190561.tif 000011
【図１０】
0003190561.tif 000012
【図１１】
0003190561.tif 000013
【図１２】
0003190561.tif 000014